(57)【要約】【課題】本発明は、分岐水路入口に設置した除塵用スクリーンによって捕獲した夾雑物を該スクリーンから外れた位置に搬送できる除塵用スクリーンを提供しようとする。【解決手段】この発明の除塵用スクリーンは、分岐水路内にスクリーン本体と、スクリーンが捕獲した夾雑物を掻き下ろす昇降可能な縦割り筒状レーキと、該レーキの駆動機構を備え、分岐水路の分岐部の一方の壁面下部に縦割り筒状レーキが掻き下ろした夾雑物に水流を導くための導入部を設け、また他方の壁面下部に前記水流の送出部を設けるとともに、この導入部および送出部と降下した縦割り筒状レーキとが連通するよう構成したことを特徴とする。【選択図】図１
2013130004.tif 000002
【特許請求の範囲】
【請求項１】
分岐水路内にスクリーン本体と、スクリーンが捕獲した夾雑物を掻き下ろす昇降可能な縦割り筒状レーキと、該レーキの駆動機構を備え、分岐水路の分岐部の一方の壁面下部に縦割り筒状レーキが掻き下ろした夾雑物に水流を導くための導入部を設け、また他方の壁面下部に前記水流の送出部を設けるとともに、この導入部および送出部と降下した縦割り筒状レーキとが連通するよう構成したことを特徴とする除塵スクリーン。
【請求項２】
前記水流を導く導入部が、分岐部から離れる方向に漏斗状に拡がるよう構成されていることをも特徴とする請求項１記載の除塵スクリーン。
【請求項３】
前記スクリーン本体の分岐水路の底に対する角度が、その下端において水平方向に屈曲しており、縦割り筒状レーキも軸棒の先端に首振り可能に取り付けられていて、縦割り筒状レーキが降下し終わったときに、縦割り筒状構造の導入部および送出部と同じ形状になるよう構成されていることをも特徴とする請求項１記載の除塵スクリーン。
【請求項４】
前記導入部が、前記縦割り筒状構造に代えて、水あるいは空気等を放出する強制水流生起手段を有していることをも特徴とする請求項１記載の除塵スクリーン。
【発明の詳細な説明】
【技術分野】
【０００１】
本発明は、河川や水路、および河川や水路等であって水の停滞している圏域や、池、湖沼、海等の水流が存在しない圏域から取水する場合の取水口に設置する除塵用スクリーンに係り、特に、夾雑物を水面より上に上げることなく水中でスクリーンから分離し、分離した夾雑物を自然の水流あるいは強制的な水流に載せて前記除塵用スクリーンから外れた位置に搬送し、スクリーンとしての機能を速やかに回復させることができるようにしたものである。
【背景技術】
【０００２】
従来の除塵装置は、例えば特開平８−１１３９３０号公報（特許文献１参照）で示されているように、スクリーンで捕獲した夾雑物をレーキで掻揚げて、ベルトコンベア等により別な場所に移動、集積し、産業廃棄物として処理していた。
【０００３】
従来のレーキ掻揚げ式の場合、以下の点が課題となる。
ａ）夾雑物は、水面より上に揚げた時点から産業廃棄物として取り扱われるのが一般的であり、再び水中に戻すことができなくなる。
ｂ）そのため夾雑物の掻揚げ装置の他に、ベルトコンベア等の掻揚げた夾雑物を移動、集積、管理するための周辺設備が必要となる。
ｃ）夾雑物は濡れたまま空中を移動して集積場所でしばらく仮置きされるため、景観が損なわれたり、悪臭が発生しやすい。
ｄ）集積された夾雑物に対しては、管理や産業廃棄物としての処理が必要となり、人的、経済的負担が大きい。
【０００４】
そこで本発明者は、特許第３８９４２２７号公報（特許文献２参照）において、分岐水路内にスクリーン本体と、スクリーンが捕獲した夾雑物を掻き下ろす昇降可能なレーキと、該レーキの駆動機構を備え、さらにレーキが掻き下ろした夾雑物をストックできる細長い空間部をスクリーンの下部に備えるとともに、その細長い空間部の一端に開閉装置付きの吐口とそれに接続する水路外部に通じる管路を備えていることを特徴とするトンネル型ジェット水流スクリーンを提案した。
【先行技術文献】
【特許文献】
【０００５】
【特許文献１】特開平８−１１３９３０号公報
【特許文献２】特許第３８９４２２７号公報
【発明の開示】
【発明が解決しようとする課題】
【０００６】
しかしながら、分岐水路入口に前記除塵用スクリーンを設置して、該スクリーンから外れた位置に夾雑物を搬送する場合、河川や水路および河川や水路等であって水の停滞している圏域や、池、湖沼、海等の水流が存在しない圏域などと分岐水路との間には水位差が存在しないため、トンネルを形成してもトンネル内に水流を起こすことができない。
【０００７】
そこで本発明は、分岐水路入口に設置した前記除塵用スクリーンによって捕獲した夾雑物を該スクリーンから外れた位置に搬送できる除塵用スクリーンを提供しようとするものである。
【課題を解決するための手段】
【０００８】
本発明の除塵用スクリーンは、分岐水路内にスクリーン本体と、スクリーンが捕獲した夾雑物を掻き下ろす昇降可能な縦割り筒状レーキと、該レーキの駆動機構を備え、分岐水路の分岐部の一方の壁面下部に縦割り筒状レーキが掻き下ろした夾雑物に水流を導くための導入部（上流側）を設け、また他方の壁面下部に前記水流の送出部（下流側）を設けるとともに、この導入部および送出部と降下した縦割り筒状レーキとが連通するよう構成したことを特徴とするものである。
【０００９】
本発明の除塵用スクリーンは、前記水流を導く導入部が、分岐部から離れる方向に漏斗状に拡がるよう構成されていることをも特徴とするものである。
【００１０】
本発明の除塵用スクリーンは、前記スクリーン本体の分岐水路の底に対する角度が、その下端において水平方向に屈曲しており、縦割り筒状レーキも軸棒の先端に首振り可能に取り付けられていて、縦割り筒状レーキが降下し終わったときに、その接点において縦割り筒状構造の導入部および送出部と同じ形状になるよう構成されていることをも特徴とするものである。
【００１１】
本発明の除塵用スクリーンは、前記導入部が、前記縦割り筒状構造に代えて、水あるいは空気等を放出する強制水流生起手段を有していることをも特徴とするものである。
【発明の効果】
【００１２】
この発明によれば、分岐水路の入口に設置することができ、しかも夾雑物を水面より上に揚げることなく水中で除塵用スクリーンから分離、排除することにより、夾雑物は産業廃棄物としての扱いは受けず、前記スクリーンから外れた位置に搬送することができる除塵用スクリーンを提供することができる。したがって、産業廃棄物としての管理や処理は不要となり、除塵システム全体が簡素化し、設備費、維持費ともに縮減でき、安全性が高い。
【図面の簡単な説明】
【００１３】
【図１】本発明の除塵用スクリーンの１実施例の要部の概略を示す斜視図である。
【図２】その概略正面図である。
【図３】本発明の除塵用スクリーンの他の実施例の要部の概略を示す斜視図である。
【図４】その概略正面図である。
【発明を実施するための形態】
【００１４】
以下に、本発明の除塵用スクリーンの実施の形態について、図面を参照して詳述する。
図１は、本発明の除塵用スクリーンの１実施例の要部の概略を示す斜視図、図２はその概略正面図である。
【００１５】
図１および図２に示す実施例の除塵用スクリーン１０は、河川や水路１１の適所に設けた分岐水路１２内にスクリーン本体２１と、スクリーン本体２１が捕獲した夾雑物２２を掻き下ろす昇降可能な縦割り筒状レーキ２３と、レーキ駆動用モータ２４とを備えている。
もちろん、前記縦割り筒状レーキ２３の駆動には、前記レーキ駆動用モータ２４に代わる他の手段を用いることもできる。
【００１６】
また前記分岐水路１２の分岐部の両側の水路壁１３の下部には、前記縦割り筒状レーキ２３が掻き下ろした夾雑物２２に水流を導くための縦割り筒状導入部１５あるいは縦割り筒状送出部１６が設けてある。そして該左右の導入部１５あるいは送出部１６は縦割り筒状レーキ２３との連通部分においては縦割り筒状レーキ２３と形状が一致するように形成されている。
したがって、この導入部１５あるいは送出部１６と降下した縦割り筒状レーキ２３とはスムーズに連通するよう構成されている。
【００１７】
本実施例の除塵用スクリーン１０は、前記スクリーン本体２１の分岐水路１２の底に対する角度が、その下端において水平方向に屈曲しており、前記縦割り筒状レーキ２３もレーキ駆動用モータ２４に接続した軸棒２５の先端に首振り可能に取り付けられている。
このようにすると前記縦割り筒状レーキ２３は、降下し終わったときに縦割り筒状構造の導入部１５および送出部１６と一体となって段差や境界のないスムーズな縦割り筒状構造のガイドが形成され、その中に除塵用の水流が導かれるとともに、本流を流下する夾雑物がレーキを直衝するのを防ぎ、レーキの破損を防止することができる。
【００１８】
本実施例の除塵用スクリーン１０は、前記スクリーン本体２１が除塵作業をしているときは、縦割り筒状レーキ２３は分岐水路１２の水面よりも上に揚げておく。（ステップ１）
【００１９】
次いでスクリーン本体２１から夾雑物２２を取り除く場合、縦割り筒状レーキ２３をスクリーン本体２１に沿って水中に降下させ、縦割り筒状レーキ２３を縦割り筒状構造の導入部１５および送出部１６の端部に合致するまで押下げて水流を導く縦割り筒状構造のガイドを形成させる。（ステップ２）
【００２０】
縦割り筒状レーキ２３を降ろした状態では、前記縦割り筒状構造のガイドに開放されている導入部１５から水流が円弧状のガイドの空間に流れ込み、除塵用の水流となって夾雑物を除塵用スクリーンからに押し流す。（ステップ３）
【００２１】
そうした後、分岐水路１２の水面よりも上の最初の位置に縦割り筒状レーキ２３をセットし、再び除塵を開始する。（ステップ１）
以上のプロセスを繰り返すことにより、除塵用スクリーン１０の除塵機能は維持される。
【００２２】
以上の実施例においては、昇降するレーキおよび水路壁の下部に設けた縦割り筒状構造のガイドをそれぞれ円弧状として図示しているが、水流を導く構造になるのであれば、何ら円弧状に限定されるものではない。
【００２３】
図３および図４に示す第２の実施例の除塵用スクリーン３０においても、河川や水路等であって水の停滞している圏域や、池、湖沼、海等の水流が存在しない圏域３１の適所に設けた分岐水路３２内にスクリーン本体４１と、スクリーン本体４１が捕獲した夾雑物４２を掻き下ろす昇降可能な縦割り筒状レーキ４３と、レーキ駆動用モータ４４とを備えている。４５は、前記レーキ駆動用モータ４４に接続して縦割り筒状レーキ４３を首振り可能に取り付けるための軸棒である。
【００２４】
また前記分岐水路３２の分岐部の一方の護岸壁３３の下部には、前記縦割り筒状レーキ４３が掻き下ろした夾雑物４２に水流を送り出すための縦割り筒状構造の送出部３４が設けてある。そして該縦割り筒状構造の送出部３４は前記分岐水路３２から離れた部分では浅く、かつ縦割り筒状レーキ４３との連通部分においては縦割り筒状レーキ４３と同じ形状に形成されている。
他方、前記分岐水路３２の分岐部の前記縦割り筒状構造の送出部３４とは反対側の他方の護岸壁３３の下部には、前記縦割り筒状レーキ４３が掻き下ろした夾雑物４２に向けて水あるいは空気等を放出する強制水流生起手段が設けてある。
【００２５】
この強制水流生起手段は、前記分岐水路３２の分岐部の他方の護岸壁３３の下部に設けたノズル４６と、これに接続させたガイド管４７を備えており、このガイド管４７に水あるいは空気等を送り込むコンプレッサ（図示せず）を連通させたものである。
したがって、ノズル４６から水あるいは空気等を放出させることにより、前記スクリーン本体４１が捕獲し、縦割り筒状レーキ４３によって掻き下ろされた夾雑物４２は、前記一方の護岸壁３３の下部の縦割り筒状構造の送出部３４を経由して除塵用スクリーン３０の位置から排出される。
【産業上の利用可能性】
【００２６】
この発明の除塵用スクリーンによれば、Ｔ字型の分岐水路のみならず、Ｙ字型その他の多様な水路にも利用することができる。
【符号の説明】
【００２７】
１０  除塵用スクリーン
１１  水路
１２  分岐水路
１３  水路壁
１５  導入部
１６  送出部
２１  スクリーン本体
２２  夾雑物
２３  縦割り筒状レーキ
２４  レーキ駆動用モータ
２５  軸棒
３０  除塵用スクリーン
３１  圏域
３２  分岐水路
３３  護岸壁
３４  縦割り筒状構造の送出部
４１  スクリーン本体
４２  夾雑物
４３  縦割り筒状レーキ
４４  レーキ駆動用モータ
４５  軸棒
４６  ノズル
４７  ガイド管
【図１】
2013130004.tif 000003
【図２】
2013130004.tif 000004
【図３】
2013130004.tif 000005
【図４】
2013130004.tif 000006